(57)【要約】【課題】投入口に一括投入された硬貨の分離を良好に行えるようにする。【解決手段】投入口に一括して投入された複数枚の硬貨を落下する通路に導いてその落下する硬貨を回転するローラの円周面で持ち上げるようにして１枚ずつに分離し、分離された硬貨を検銭器に送出するようにした硬貨処理装置において、前記ローラの円周面にそのローラの回転方向と直交する方向の溝を所定の間隔を保って複数個設ける。【選択図】　　　図１
2004078397.tif 000002
【特許請求の範囲】
【請求項１】
投入口に一括して投入された複数枚の硬貨を落下する通路に導いてその落下する硬貨を回転するローラの円周面で持ち上げるようにして１枚ずつに分離し、分離された硬貨を検銭器に送出するようにした硬貨処理装置において、
前記ローラの円周面にそのローラの回転方向と直交する方向の溝を所定の間隔を保って複数個設けたことを特徴とする硬貨処理装置。
【請求項２】
請求項１に記載の硬貨処理装置において、溝は、ローラの回転方向側が低くなるように形成されていることを特徴とする硬貨処理装置。
【請求項３】
投入口に一括して投入された複数枚の硬貨を落下する通路に導いてその落下する硬貨を回転するローラの円周面で持ち上げるようにして１枚ずつに分離し、分離された硬貨を検銭器に送出するようにした硬貨処理装置において、
前記ローラの円周面に互いに所定の間隔を保ってランダムに所定の大きさの穴を複数個設けたことを特徴とする硬貨処理装置。
【発明の詳細な説明】
【０００１】
【発明の属する技術分野】
本発明は、自動券売機や自動精算機等の駅務機器、あるいは各種自動販売機等の硬貨を取扱う処理機に組込まれる硬貨処理装置に係り、特に、投入口に一括して投入された複数枚の硬貨を１枚ずつに効果的に分離できるようにしたものに関する。
【０００２】
【従来の技術】
図３（ａ）は、従来の硬貨処理装置の分離機構ｂの部分を一部断面で示した正面図、同図（ｂ）は、同図（ａ）のＢ−Ｂ線断面図である。この分離機構ｂは、上部に硬貨イを投入するための投入口１を有している。この投入口１は、複数枚の硬貨を積層して投入できる大きさに形成されている。したがって、利用者は、この硬貨処理装置の組込まれている処理機が必要とする金額を満たす複数枚の硬貨を投入口１に一括して投入することができる。
【０００３】
通路２は、Ｌ字状を呈していて、その上部は、上記投入口１の下部に連通し、その下部は、図示しない検銭器へ接続されている。そして、このＬ字状の通路２の垂直部分２ａには、ローラｒの一部分が通路２内に位置できるように開口（窓）３が設けられている。このローラｒは、合成ゴム等の合成樹脂製からなり、そのローラｒの円周面側の一部は、硬貨イが１枚だけ通過できる間隙を保って開口２ａから突入する形で通路２内に位置している。そして、このローラｒは、通路２を落下してくる硬貨イを上に持ち上げる方向（図３（ｂ）では反時計方向）に図示しない駆動源（モータ）により回転されるように構成されている。
【０００４】
上記ローラｒの円周面の中央線上には、所定の間隔を保って複数個（図示の例では６個）の所定深さで所定の大きさの穴ｒ′，ｒ′…が設けられている。したがって、ローラｒが回転すると、積層して落下してくる硬貨のうち、通路２を落下する以外の２枚目以降の硬貨イを穴ｒ′のエッジで受け止めて上方へ持上げ、１枚の硬貨イのみを通路２の下方へ移動させるように作用し、これにより、投入口１に投入された複数枚の硬貨イ，イ…を１枚ずつに分離して後続の検銭器へ１枚ずつ送出することができる。
【０００５】
【発明が解決しようとする課題】
しかしながら、上記従来の硬貨処理装置は、ローラの円周面に設けられている穴は、その円周面の中央線上に設けられているので、硬貨の位置によっては穴のエッジにかからず、硬貨の持ち上げ、つまり硬貨の掻き上げが良好に行われず、分離時間が長くなる等の欠点があった。
【０００６】
そこで、本発明は、上記欠点を解決するためになされたものであって、その目的は、硬貨の掻き上げを良好にして硬貨の分離効果を高めることができる硬貨処理装置を提供することにある。
【０００７】
【課題を解決するための手段】
本発明に係る硬貨処理装置は、上記目的を達成するために、請求項１に記載の発明は、投入口に一括して投入された複数枚の硬貨を落下する通路に導いてその落下する硬貨を回転するローラの円周面で持ち上げるようにして１枚ずつに分離し、分離された硬貨を検銭器に送出するようにした硬貨処理装置において、前記ローラの円周面にそのローラの回転方向と直交する方向の溝を所定の間隔を保って複数個設けたことを特徴としている。
本発明の請求項２に記載の硬貨処理装置は、溝は、ローラの回転方向側が低くなるように形成されていることを特徴としている。
【０００８】
本発明に係る硬貨処理装置は、上記目的を達成するために、請求項３に記載の発明は、投入口に一括して投入された複数枚の硬貨を落下する通路に導いてその落下する硬貨を回転するローラの円周面で持ち上げるようにして１枚ずつに分離し、分離された硬貨を検銭器に送出するようにした硬貨処理装置において、前記ローラの円周面に互いに所定の間隔を保ってランダムに所定の大きさの穴を複数個設けたことを特徴としている。
【０００９】
【発明の実施の形態】
以下、本発明の実施の形態を図面に基づいて説明する。図１（ａ）は、本発明の一実施の形態に係る硬貨処理装置の分離機構ａの部分を一部断面で示した正面図、同図（ｂ）は、同図（ａ）のＡ−Ａ線断面図である。
【００１０】
なお、従来と同一構成要素には同一符号を用い、これら構成要素については説明が重複するため新規な部分のみについて異なる符号を付して説明する。
【００１１】
ローラＲ１　は、上記図３（ａ），（ｂ）の従来例と同様に、通路２に設けられている開口３から通路２内に硬貨１枚分が通過（落下）できる間隙を保って設けられている。このローラＲ１　は、従来と同様に合成ゴム等の合成樹脂製で、その円周面には、ローラＲ１　の回転方向と直交する方向に伸びる溝Ｒ１　′，Ｒ１　′…が所定の間隔を保って複数個形成されている。すなわち、ローラＲ１　の円周面の幅方向でローラＲ１　の回転軸と同方向に伸びるように複数の溝Ｒ１　′，Ｒ１　′…が形成されている。そして、この溝Ｒ１　′は、図１（ｂ）に示されるように、ローラＲ１　の回転方向側が徐々に低くなるように傾斜した溝に形成されている。
【００１２】
上記構成からなる硬貨処理装置の分離機構ａにおいて、投入口１に投入された複数枚の硬貨イ，イ…のうち、ローラＲ１　から離れた位置に位置する１枚の硬貨イを除いた硬貨イ′は、溝Ｒ１　′のエッジによって掻き上げられる。したがって、積層された硬貨イ，イ…は、効率よく１枚ずつに分離されて通路２を落下し、１枚ずつ図示しない検銭器へ送出される。検銭器では、正貨，偽貨の判定が行われ、正貨と判定された硬貨イは、金種毎に区分されて所定の収納筒（図示せず）に収納され、偽貨と判定された硬貨又は１円あるいは５円等の使用不可と予め決められている硬貨は、図示しない返却口へ返却される。
【００１３】
図２（ａ）は、本発明の他の実施の形態の硬貨処理装置で用いられるローラＲ２　の正面図、同図（ｂ）は、同図（ａ）の右側面図である。このローラＲ２　は、円周面に所定の大きさ及び深さの穴Ｒ２　′がランダムに所定の間隔を保って複数個設けられている。すなわち、上記図３に示される従来の穴ｒ′は、ローラｒの円周面の中央線に沿って所定の間隔を保って複数個設けられていたのに対し、この図２（ａ），（ｂ）に示されるローラＲ２　では、穴Ｒ２　′，Ｒ２　′…は、ローラＲ２　の円周面の中央線の両側に平行にそれぞれもう１本の線を設け、合計３本の線上に互いに一致しないような間隔を保って設けられている。
【００１４】
上記構成のローラＲ２　において、円周面上に設けられる穴Ｒ２　は、ランダム状にまんべんなく設けられているので、硬貨の掻き上げ硬貨を高めることができる。
【００１５】
【発明の効果】
本発明の請求項１の硬貨処理装置は、ローラの円周面にそのローラの回転方向と直交する方向の溝を所定の間隔を保って複数個設けたので、硬貨の分離効果を高めることができる。
本発明の請求項２の硬貨処理装置は、溝は、ローラの回転方向側が低くなるように形成されているので、硬貨の持ち上げ、つまり掻き上げ効果をより高めることができる。
【００１６】
本発明の請求項３の硬貨処理装置は、ローラの円周面に互いに所定の間隔を保ってランダムに所定の大きさの穴を複数個設けたので、硬貨の分離効果を高めることができる。
【図面の簡単な説明】
【図１】（ａ）は、本発明の一実施の形態に係る硬貨処理装置の分離機構を一部断面で示した正面図、（ｂ）は、（ａ）のＡ−Ａ線断面図である。
【図２】（ａ）は、本発明の他の実施の形態に係る硬貨処理装置で用いられるローラの正面図、（ｂ）は、（ａ）の右側面図である。
【図３】（ａ）は、従来の硬貨処理装置の分離機構を一部断面で示した正面図、（ｂ）は、（ａ）のＢ−Ｂ線断面図である。
【符号の説明】
ａ　硬貨処理装置の分離機構
１　投入口
２　通路
２ａ　垂直部
３　開口
Ｒ１　，Ｒ２　　ローラ
Ｒ１　′　溝
Ｒ２　′穴
【図１】
2004078397.tif 000003
【図２】
2004078397.tif 000004
【図３】
2004078397.tif 000005